(57)【要約】      （修正有）【課題】普及している採尿カップが使用でき、手を便器内に入れずに採尿できる使い捨て可能な採尿補助具を提供する。【解決手段】採尿時には、市販の採尿カップを採尿補助具１００に取り付けて採尿する。採尿補助具１００は、紙やプラスチックの素材の板で形成され、採尿カップを挿入し保持するカップ保持穴１１０を有する保持穴保有部と、板の長手方向の途中で上方に折り曲げた折曲部１２０と、便座に座った使用時には、上方端が便器の上に出る手持ち部１３０と、を有する構成であり、不使用時には、折り曲げを戻して平坦にすることも可能である。使用時には、採尿カップをカップ保持穴１１０に上から差し込んで使用する。【選択図】図１
0003230828.tif 000002
【実用新案登録請求の範囲】
【請求項１】
採尿カップを挿抜可能なカップ保持穴を有する保持穴形成部と、便座に座る使用時に便座の上に出る手持ち部と、前記保持穴形成部と前記手持ち部の間を、折り曲げて接続する折曲げ部とを備え、前記保持穴形成部と前記折曲げ部と前記手持ち部は、板体で形成されたことを特徴とする採尿補助具。
【請求項２】
前記折曲げ部は、不使用時は、折り曲げた状態でなく、使用前に使用に向けて折り曲げるものであって、前記折り曲げの状態を維持する折り曲げ維持具を前記保持穴形成部と前記手持ち部の間に備えたことを特徴とする請求項１記載の採尿補助具。
【請求項３】
前記折り曲げ維持具は、前記保持穴形成部と前記手持ち部のいずれか一方に、一端が着いた短冊１を備え、前記短冊１の他端が有した掛け具１と、前記短冊１が着いてない側の前記保持穴形成部又は前記手持ち部に形成した掛け具２とが嵌ることで前記折り曲げの状態が維持されることを特徴とする請求項２記載の採尿補助具。
【請求項４】
前記折り曲げ維持具は、前記保持穴形成部と前記手持ち部の両者に掛け具３、掛け具４を有し、前記掛け具３、掛け具４に引張紐を掛けることで、前記折り曲げの状態が維持されることを特徴とする請求項２記載の採尿補助具。
【請求項５】
前記折り曲げ維持具は、前記保持穴形成部と前記手持ち部の両者に、短冊２の両端が接続し、前記折り曲げの状態で前記短冊２の中央側で折り曲げ接着や結びを行い、短冊２を短くすることで前記折り曲げの状態が維持されることを特徴とする請求項２記載の採尿補助具。
【請求項６】
前記採尿カップの口にはめ込んで使う穴の開いた皿状体であり、前記皿状体の径は、前記採尿カップの径より大きいことで、身体に接触して使った時に尿の飛散を防止することが可能となるものを有する請求項１から請求項５のいずれか１つに記載の採尿補助具。
【請求項７】
採尿カップを挿抜可能なカップ保持穴を有する保持穴形成部と、便座に座る使用時に便座の上に出る手持ち部と、前記保持穴形成部と前記手持ち部の間を、折り曲げて接続する折曲げ部とを備え、前記保持穴形成部と前記折曲げ部と前記手持ち部は、線又は管で形成されたことを特徴とする採尿補助具。
【考案の詳細な説明】
【技術分野】
【０００１】
本考案は、検査のため女性が採尿する場合に便利な採尿補助具に関するものである。
【背景技術】
【０００２】
従来、女性が採尿する場合には、図５の５−Ａのように、便座に座って、採尿カップを便座の中に入れなければならないが、その時、採尿カップを持った手も入れなければならず、不衛生である状況があり、そのため、５−Ｂから５−Ｆに示すものが提案されていた。
５−Ｂは、特許文献１に示されるものであるが、カップの口を広げた鍔のある形状にしたものである。通常のカップより大きくなる分、尿の採取が楽になる反面、沢山の採尿カップが並ぶ医療現場では、広めの場所を必要となる。さらに手をいれる不都合の改善にはなっていない。
５−Ｃでは、特許文献２に示されるものであるが、通常のカップに差し込むじょうご状の鍔状体であるが、これは、５−Ｂと同じ目的であり、手をいれる不都合の改善にはなっていない。
５−Ｄでは、特許文献３に示されるものであるが、便器につける採尿のための大きな容器であり、一旦これに受けてから、採尿カップに分けることになるが、手をいれる不都合の改善にはなるが、大きくなること、移し替える２度手間、容器の維持に面倒さがある。
５−Ｅでは、特許文献４に示されるものであるが、採尿カップの代わりに使う容器で手に持つための取っ手がついている、この取っ手は容器と同じ高さなので、手をいれる不都合の改善にはなっていない。
５−Ｆでは、特許文献５に示されるものであるが、採尿カップと手に持つ引出し部が一体になっていて、手をいれる不都合の改善にはなるが、長手方向に長くなるので、医療現場で余分な場所を必要とする。また、容積が大きくなるので、多数個の保管や流通時に不都合がある。
【先行技術文献】
【特許文献】
【０００３】
【特許文献１】実用新案登録３１６６８０８
【特許文献２】実用新案登録３１１７７６４
【特許文献３】実用新案登録３０８４５８０
【特許文献４】特開Ｓ６２−１５９０４４
【特許文献５】特開２００５−３３１２９３
【考案の概要】
【考案が解決しようとする課題】
【０００４】
本願の課題は、従来の不都合点を改善でき、普及している採尿カップが使用でき、手を便器内に入れずに採尿できる使い捨て可能な採尿補助具を提供することである。
【課題を解決するための手段】
【０００５】
採尿カップを挿抜可能なカップ保持穴を有する保持穴形成部と手持ち部と折曲げ部を有する。
以下請求項に沿い記述する。
請求項１記載の考案は、採尿補助具であって、
採尿カップを挿抜可能なカップ保持穴を有する保持穴形成部と、便座に座る使用時に便座の上に出る手持ち部と、前記保持穴形成部と前記手持ち部の間を、折り曲げて接続する折曲げ部とを備え、前記保持穴形成部と前記折曲げ部と前記手持ち部は、板体で形成されたことを特徴とする。
【０００６】
請求項２記載の考案は、請求項１記載の採尿補助具において、
前記折曲げ部は、不使用時は、折り曲げた状態でなく、使用前に使用に向けて折り曲げるものであって、前記折り曲げの状態を維持する折り曲げ維持具を前記保持穴形成部と前記手持ち部の間に備えたことを特徴とする。
【０００７】
請求項３記載の考案は、請求項２記載の採尿補助具において、
前記折り曲げ維持具は、前記保持穴形成部と前記手持ち部のいずれか一方に、一端が着いた短冊１を備え、前記短冊１の他端が有した掛け具１と、前記短冊１が着いてない側の前記保持穴形成部又は前記手持ち部に形成した掛け具２とが嵌ることで前記折り曲げの状態が維持されることを特徴とする。
【０００８】
請求項４記載の考案は、請求項２記載の採尿補助具において、
前記折り曲げ維持具は、前記保持穴形成部と前記手持ち部の両者に掛け具３、掛け具４を有し、前記掛け具３、掛け具４に引張紐を掛けることで、前記折り曲げの状態が維持されることを特徴とする。
【０００９】
請求項５記載の考案は、請求項２記載の採尿補助具において、
前記折り曲げ維持具は、前記保持穴形成部と前記手持ち部の両者に、短冊２の両端が接続し、前記折り曲げの状態で前記短冊２の中央側で折り曲げ接着や結びを行い、短冊２を短くすることで前記折り曲げの状態が維持されることを特徴とする。
【００１０】
請求項６記載の考案は、請求項１から請求項５のいずれか１つに記載の採尿補助具において、前記採尿カップの口にはめ込んで使う穴の開いた皿状体であり、前記皿状体の径は、前記採尿カップの径より大きいことで、身体に接触して使った時に尿の飛散を防止することが可能となるものを有する。
【００１１】
請求項７記載の考案は、採尿補助具であって、
採尿カップを挿抜可能なカップ保持穴を有する保持穴形成部と、便座に座る使用時に便座の上に出る手持ち部と、前記保持穴形成部と前記手持ち部の間を、折り曲げて接続する折曲げ部とを備え、前記保持穴形成部と前記折曲げ部と前記手持ち部は、線又は管で形成されたことを特徴とする。
【考案の効果】
【００１２】
以上の様に構成されているので、本考案による採尿補助具では、市販され通常使用されている採尿カップを挿抜して使用でき、折り曲げることで、手持ち部が引き出され、使用時には、便器に手を入れることを回避できる。
【図面の簡単な説明】
【００１３】
【図１】本考案にかかる採尿補助具の一実施態様を示す図である。
【図２】本考案にかかる採尿補助具の他の実施態様を示す図である。
【図３】本考案にかかる採尿補助具の他の実施態様を示す図である。
【図４】本考案にかかる採尿補助具の折り畳み維持具の一実施態様を示す図である。
【図５】従来の採尿具又は採尿補助具を示す図である。
【考案を実施するための形態】
【００１４】
図１は、本考案にかかる採尿補助具の一実施態様を示す図である。
採尿時には、１−Ｂに示す市販の採尿カップを本願の採尿補助具１００に取り付けて採尿する。採尿補助具１００は、紙やプラスチックの素材の板で形成され、採尿カップを挿入し保持するカップ保持穴１１０Ａを有する保持穴保有部１１０Ｂと、板の長手方向の途中で上方に折り曲げた折曲部１２０と、便座に座った使用時には、上方端が便器の上に出る手持ち部１３０と、を有する構成であり、不使用時には、折り曲げを戻して平坦にすることも可能である。さらに、折り曲げた状態を維持する折り畳み維持手段を備えると、好都合である。使用時には、１−Ｃのように、採尿カップをカップ保持穴１１０Ａに図のように上から差し込んで使用する。カップ保持穴１１０Ａの径は、採尿カップを差し込んだ時、採尿カップの上方を残して止まるくらいに、採尿カップの上側の外径より、少し小さめがよい。１−Ｄのように、便座に座って、両股の間から挿入して採尿するが、引き出された手持ち部１３０によって、手は便器の外にある状態となる。
【００１５】
図２は、本考案にかかる採尿補助具の他の実施態様を示す図である。
２−Ａでは、図１のものに比べて、カップ保持穴１１０Ａのある側の先端に庇２１０がある。これにより後ろ側への尿の飛散を防止する。
２−Ｂは、図１の折曲部が、手持ち部１３０まで徐々に曲がっていく構成で、２−Ｃでは、これに採尿カップを差し込んだ図となっている。２−Ｄは、本願の主旨のみを実現する構成で、穴カップ保持穴１１０Ａは、板でなく線や管を輪の状態にしたものであり、そこから、上側に棒状体が伸びて手持ち部１３０を構成する。たとえば、針金やもっと望ましくは、紙やプラスチックのストローを曲げて輪を作り、棒状に先端を引き出すだけで出来上がるので極めて容易である。
【００１６】
図３は、本考案にかかる採尿補助具の他の実施態様を示す図である。
３−Ａは、１−Ｃと同じである。３−Ｂでは、３−Ａで採尿カップの口にはめ込んで覆うように径の大きな底のなく穴の開いた穴開き皿状体３１０が乗っている。径の大きい分、これを身体に接触して使うことで、尿の飛散を防止する。容易に分解ができ、分解すると、３−Ｃは採尿カップ、３−Ｄは採尿補助具１００、３−Ｅは穴開き皿状体３１０である。３−Ｆは、採尿補助具１００を複数個重ねて状態を示す。勿論、採尿カップも穴開き皿状体３１０も複数個重ねることができるのは当然である。このように、容易に組み立て分解できることができ、一体では、複数個の重ねることができないと保管や運搬での容積が過大になる不都合が、分解で解消される。
【００１７】
図４は、本考案にかかる採尿補助具の折り畳み維持具の一実施態様を示す図である。
採尿補助具１００を板で構成した場合に、３−Ｆのように重ねが可能なので、常時、折り曲げたままのものでもよい。  しかしながら、保管時や運搬時のような不使用時は、折り曲げがなく平坦状態にし、使用時に折り曲げをし維持したい。このような要求を満たすため、カップ保持穴１１０Ａのある板側と手持ち部１３０のある板側の間を引張し、折り畳みを維持する折り畳み維持具４１０の例であり、上側に折り畳み状態、下側に平坦状態を示す。
４−Ａ−１、４−Ａ−２は、カップ保持穴１１０Ａのある板側と手持ち部１３０のある板側のどちらかに、一端が着いた短冊４１１の他端が溝４１２を有して、他方の側に形成した溝に溝同士で嵌り、保持される。短冊４１１は、両板とは別体で形成されて付加したものでもよいし、両板に切り込みを入れて同体に形成したものでもよい。
勿論、溝４１２は、他の手段でもよく、小穴とフックの関係でもよいし、貼り付けでもよいので、請求項では、掛け具１と掛け具２で表現する。
４−Ｂ−１、４−Ｂ−２では、カップ保持穴１１０Ａのある板側と手持ち部１３０のある板側の両者に溝があり、溝に輪ゴム等の引張紐４１３で保持される。
同様に溝は、一形態に過ぎないので、請求項では、掛け具３、掛け具４で表現する。
４−Ｃ−１、４−Ｃ−２では、カップ保持穴１１０Ａのある板側と手持ち部１３０のある板側の両者に、短冊４１１が両端で接続し、折り曲げた状態は、短冊４１１の中央側で折り曲げ接着や結びをするとその分、短冊４１１は短くなり、折り曲げを維持できる。
尚、４−Ａ−１、４−Ａ−２で用いた短冊４１１と４−Ｃ−１、４−Ｃ−２で用いた短冊４１１は、持ち方が異なるので、請求項では、短冊１、短冊２で区別した記述とした。
【産業上の利用可能性】
【００１８】
以上のように本考案にかかる採尿補助具は、市販され通常使用されている採尿カップを挿抜して使用でき、折り曲げることで、手持ち部が引き出され、使用時には、便器に手を入れることを回避できるので、産業上利用して極めて好都合である。
【００１９】
１００  採尿補助具
１１０Ａ  カップ保持穴
１１０Ｂ  保持穴保有部
１２０  折曲部
１３０  手持ち部
２１０  庇
３１０  穴開き皿状体
４１０  折り畳み維持具
４１１  短冊
４１２  溝
４１３  引張紐
【図１】
0003230828.tif 000003
【図２】
0003230828.tif 000004
【図３】
0003230828.tif 000005
【図４】
0003230828.tif 000006
【図５】
0003230828.tif 000007